【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
X線画像データを処理するための方法を実行するための少なくとも一つの電子プロセッサによって実行可能な命令を記憶する非一時的なコンピュータ可読媒体であって、前記方法は、
和画像データ及び差画像データを受信するステップであって、前記和画像データ及び前記差画像データは、対象物を通過する二つの異なるエネルギのX線の強度情報を有し、前記和画像データは前記二つの異なるエネルギの和強度に基づき、前記差画像データは前記二つの異なるエネルギの差強度に基づく、ステップと、
前記和画像データを低周波レンジ及び高周波レンジに分割するステップと、
前記差画像データを低周波レンジ及び高周波レンジに分割するステップであって、前記差画像データの前記低周波レンジはスケーリングファクタによって重み付けされる、ステップと、
前記差画像の前記高周波レンジを前記和画像データの前記高周波レンジに置換することによって低ノイズ画像データを生成するステップと、
前記低ノイズ差画像データを表示するようにディスプレイ装置を制御するステップと
を有する、非一時的なコンピュータ可読媒体。
【請求項２】
前記方法は、
第一の画像データ及び第二の画像データの少なくとも一つを収集するためにX線管及びX線検出器を有するX線イメージング装置を操作するステップであって、前記第一の画像データ及び前記第二の画像データは、対象物を通過するX線の強度情報を有し、前記第一の画像データは前記第二の画像データとして異なるX線エネルギに関連する、ステップと、
前記第一の画像データ及び前記第二の画像データの和を計算することによって前記和画像データを生成するステップ、及び前記第一の画像データ及び前記第二の画像データの差を計算することによって前記差画像データを生成するステップの少なくとも一つと
を更に有する、請求項１に記載の非一時的なコンピュータ可読媒体。
【請求項３】
前記差画像データ及び前記和画像データはフーリエ変換によって周波数レンジに分割される、
請求項１に記載の非一時的なコンピュータ可読媒体。
【請求項４】
前記差画像データ及び前記和画像データは前記和画像データ及び前記差画像データの各々のラプラスピラミッドを決定することによって周波数帯域に分割され、
前記高周波レンジは少なくとも二つの最高周波数帯域を有する、
請求項１に記載の非一時的なコンピュータ可読媒体。
【請求項５】
前記和画像データは前記第一の画像データ及び前記第二の画像データの対応するピクセルのピクセルワイズ加算強度値に基づき、及び
前記差画像データは前記対応するピクセルのピクセルワイズ減算強度値に基づく
態様のうちの少なくとも一方である、
請求項１に記載の非一時的なコンピュータ可読媒体。
【請求項６】
前記和画像データは強度値の和の対数に基づき、及び
前記差画像データは強度値の対数の差に基づく
態様のうちの少なくとも一方である、
請求項１に記載の非一時的なコンピュータ可読媒体。
【請求項７】
前記第一の画像データは閾値より下のX線の強度情報を有し、前記第二の画像データは前記閾値より上のX線の強度情報を有する、
請求項１に記載の非一時的なコンピュータ可読媒体。
【請求項８】
前記第一の画像データ、前記第二の画像データ、前記和画像データ、前記差画像データ及び前記低ノイズ画像データの少なくとも一つは、二次元ピクセルデータを有する、
請求項１に記載の非一時的なコンピュータ可読媒体。
【請求項９】
前記第一の画像データ及び前記第二の画像データは異なるエネルギのX線を区別するように構成される検出器により収集される、
請求項１に記載の非一時的なコンピュータ可読媒体。
【請求項１０】
X線管と、
異なるX線エネルギに関する第一の画像データ及び第二の画像データを収集するように前記X線管に関して構成される検出器と、
ディスプレイ装置と、
コントローラであって、
前記検出器及び前記X線管を用いて和画像データ及び差画像データを収集するステップであって、前記和画像データ及び前記差画像データは、対象物を通過する二つの異なるエネルギのX線の強度情報を有し、前記和画像データは前記二つの異なるエネルギの和強度に基づき、前記差画像データは前記二つの異なるエネルギの差強度に基づく、ステップと、
前記和画像データを低周波レンジ及び高周波レンジに分割するステップと、
前記差画像データを低周波レンジ及び高周波レンジに分割するステップであって、前記差画像データの前記低周波レンジはスケーリングファクタによって重み付けされる、ステップと、
前記差画像の前記高周波レンジを前記和画像データの高周波レンジに置換することによって低ノイズ画像データを生成するステップと、
前記低ノイズ差画像データを表示するように前記ディスプレイ装置を制御するステップと
を実行するようにプログラミングされるコントローラと
を有する、X線イメージング装置。
【請求項１１】
前記X線イメージング装置はマンモグラフィー装置である、
請求項１０に記載のX線イメージング装置。
【請求項１２】
前記コントローラは、
前記検出器及び前記X線管を用いて第一の画像データ及び第二の画像データの少なくとも一つを収集するステップであって、前記第一の画像データ及び前記第二の画像データが、対象物を通過するX線の強度情報を有し、前記第一の画像データは前記第二の画像データとして異なるX線エネルギに関連する、ステップと、
前記第一の画像データ及び前記第二の画像データの和を計算することによって前記和画像データを生成するステップ、及び前記第一の画像データ及び前記第二の画像データの差を計算することによって前記差画像データを生成するステップの少なくとも一つと
を実行するようにプログラミングされる、
請求項１０に記載のX線イメージング装置。
【請求項１３】
前記コントローラは、
前記和画像データ及び前記差画像データの各々のラプラスピラミッドを決定することによって前記差画像データ及び前記和画像データを周波数帯域に分割するステップであって、
前記高周波レンジは少なくとも二つの最高周波数帯域を有する、ステップ
を実行するようにプログラミングされる、
請求項１０に記載のX線イメージング装置。
【請求項１４】
前記コントローラは、
前記和画像データを生成するために前記第一の画像データ及び前記第二の画像データの対応するピクセルの強度値をピクセルワイズ加算するステップ、及び
前記差画像データを生成するために前記対応するピクセルの強度値をピクセルワイズ減算するステップ
の少なくとも一つを実行するようにプログラミングされる、請求項１０に記載のX線イメージング装置。
【請求項１５】
前記コントローラは、
前記和画像データを生成するために強度値の和の対数を生成するステップ、及び
前記差画像データを生成するために強度値の対数の差を生成するステップ
の少なくとも一つを実行するようにプログラミングされる、請求項１０に記載のX線イメージング装置。
【請求項１６】
前記第一の画像データは閾値より下のX線の強度情報を有し、前記第二の画像データは前記閾値より上のX線の強度情報を有する、
請求項１０に記載のX線イメージング装置。
【請求項１７】
第一及び第二の異なるX線エネルギに関する第一の画像データ及び第二の画像データを収集するための検出器構成と、
コントローラであって、
前記第一及び第二の異なるエネルギのX線の和強度を有する和画像データを受信するステップと、
前記和画像データを低周波レンジ及び高周波レンジに分割するステップと、
前記第一及び第二の異なるエネルギのX線の差強度を有する差画像データを受信するステップと、
前記差画像データを低周波レンジ及び高周波レンジに分割するステップと、
前記差画像データの前記低周波レンジをスケーリングファクタによって重み付けするステップと、
前記差画像の前記高周波レンジを前記和画像データの高周波レンジに置換することによって低ノイズ画像データを生成するステップと、
前記低ノイズ差画像データを表示するようにディスプレイ装置を制御するステップと
を実行するようにプログラミングされる、コントローラと
を有する、X線イメージング装置。
【請求項１８】
前記コントローラは、
前記第一の画像データ及び前記第二の画像データの和を計算するステップと、
前記第一の画像データ及び前記第二の画像データの差を計算するステップと
を実行するようにプログラミングされる、請求項１７に記載のX線イメージング装置。
【請求項１９】
前記コントローラは、
前記和画像データ及び前記差画像データの各々のラプラスピラミッドを決定することによって前記差画像データ及び前記和画像データを周波数帯域に分割するステップであって、
前記高周波レンジは少なくとも二つの最高周波数帯域を有する、ステップ
を実行するようにプログラミングされる、請求項１７に記載のX線イメージング装置。
【請求項２０】
前記コントローラは、
前記和画像データを生成するために前記第一の画像データ及び前記第二の画像データの対応するピクセルの強度値をピクセルワイズ加算するステップ、及び
前記差画像データを生成するために前記対応するピクセルの強度値をピクセルワイズ減算するステップ
の少なくとも一つを実行するようにプログラミングされる、請求項１７に記載のX線イメージング装置。